(57)【要約】【課題】体を動かしても保冷剤が揺れ動くことがなく、予定した部位を確実に冷却することができ、しかも、保冷剤の重さを分散した体温調整着を提供する。【解決手段】前閉じの上着と、左右の前身頃を開いた状態で前記上着の裏に装着可能なインナーベストとを備え、該インナーベストは、その背部と両脇下に、前記上着に装着したとき、保冷剤の投入口が肌側となるように前記保冷剤の収容ポケットを設けてなる。インナーベストは左右の前身頃それぞれに雄雌のファスナそれぞれを設けてなると共に、上着の左右の前身頃それぞれにも前記雄雌のファスナそれぞれが係脱自在な雄雌のファスナそれぞれを設ける。さらに、インナーベストと上着の襟ぐりそれぞれに、さらに、互いに係脱可能な係着部を設けることが好ましい。【選択図】図１
2014005560.tif 000002
【特許請求の範囲】
【請求項１】
左右の前身頃それぞれの裏に雄雌のファスナそれぞれを設けた上着と、
左右の前身頃それぞれに、該左右の前身頃を開閉自在に係脱し、且つ、前記上着の前記ファスナの雄雌それぞれとも係脱自在な雄雌のファスナそれぞれを設け、さらに背部と両脇下に保冷剤または保温剤の収容ポケットを設けたインナーベストとを備え、
該インナーベストは、その左右の前身頃を開いた状態で、前記上着と互いの雄雌のファスナ同士を係着することにより、前記収容ポケットにおける剤投入口を肌側として、前記上着の裏に装着することを特徴とした体温調整着。
【請求項２】
インナーベストと上着の襟ぐりそれぞれに、さらに、互いに係脱可能な係着部を設けた請求項１記載の体温調整着。
【請求項３】
インナーベストは胴囲を絞るための調整紐を有する請求項１または２記載の体温調整着。
【請求項４】
上着は長袖であり、且つ、全体が防水性及び透湿性を有する素材からなる請求項１、２または３記載の体温調整着。
【発明の詳細な説明】
【技術分野】
【０００１】
この発明は、夏場は収容ポケットに保冷剤を投入することによって体温上昇を抑制でき、また冬場は保温剤によって体を温めることができる体温調整着に係り、詳しくは、前記収容ポケットを設けたインナーベストと、裏に該インナーベストを脱着する上着との組合せからなる。
【背景技術】
【０００２】
暑熱環境下の熱中症対策として、首や脇下、背中にあたる部分に、保冷剤の収容ポケットを設けた衣類（以下、保冷着）が提案されている（特許文献１〜３等）。
【先行技術文献】
【特許文献】
【０００３】
【特許文献１】特開２００２−２２０７１０号公報
【特許文献２】実用新案登録第３１４６６１６号公報
【特許文献３】特開２０１１−１６６９号公報
【発明の概要】
【発明が解決しようとする課題】
【０００４】
農作業では、暑熱環境下であっても、害虫や怪我などから身を守るため、長袖・長ズボンを着用することが多く、熱中症の危険性が高い。特に、防除作業においては、農薬が肌側に染み込まないよう、防水性を有する上着を着用することから、汗が蒸散しにくく、より熱中症の危険性が高まる。こうした課題は、雨天等の多湿環境下、雨合羽を着て農作業する場合にも同じことがいえ、似たような状況は、建築・土木業等でも起こり得る。さらに、屋内の作業であっても、製鉄業のように、年中、高温の環境下、やけど防止のために長袖・長ズボンの着用が推奨される労作にも共通する課題である。
【０００５】
そこで、これら所謂労作性熱中症を予防するために、長袖の作業着や雨合羽の下に、上記特許文献１〜３の保冷着を着用することが考えられる。
【０００６】
しかし、従来の保冷着は、袖がないベスト（チョッキ）風であって、しかも、保冷剤が体に密着しないように、ゆったり目に作られている。このような保冷着の上に、やはり、作業がしやすいように、ゆったり目の作業着や雨合羽を重ね着すると、体を動かしたときに、ポケットに投入した保冷剤が錘となって、保冷着が肩を支点として揺れ動き（泳ぎ）やすい。
【０００７】
このように、作業中、体を動かす度に保冷着が泳いでしまうと、保冷剤の位置が定まらず、予定した部位を有効に冷却できない恐れがある。また、従来の保冷着は上述のように袖を有しないため、腕の動きとは無関係に、保冷剤の重さが肩に集中的に作用することになり、作業中、重苦しく感じる恐れもある。
【０００８】
本発明は上述した課題を解決するためになされたもので、その目的とするところは、体を動かしても保冷剤が揺れ動かず、予定した部位を確実に冷却することができ、しかも、保冷剤の重さを分散した体温調整着を提供することである。なお、保冷剤に代えて保温剤を使用した場合も、上述した目的は同じである。
【課題を解決するための手段】
【０００９】
上述した目的を達成するために本発明では、前閉じの上着と、左右の前身頃を開いた状態で前記上着の裏に装着可能なインナーベストとを備え、前記インナーベストに保冷剤の収容ポケットを設けるという手段を用いた。インナーベストは、従来の保冷着と同様、収容ポケットに保冷剤を出し入れでき、該保冷剤によって人体の背部と両脇下を冷却することによって、体温上昇を抑制する。そして、インナーベストを上着の裏に装着した状態でも、保冷剤の投入口は内ポケット状に肌側に位置するため、体温調整着を着たまま保冷剤を出し入れすることができる。しかも、インナーベストは上着に一体的に装着されるため、体を動かしても、インナーベストが上着の中で着崩れることがなく、安定して予定の部位（背中と両脇下）を冷却することができる。なお、本発明において保冷剤とは、所定時間冷蔵または冷凍することによって蓄冷する薬剤を適宜容器に密封した袋状またはパック状のものをいい、繰り返し使用できるものであることが好ましい。また、冬場であれば収容ポケットに保冷剤に代えて保温剤を入れてもよい。よって、以下、「保冷剤」は「保温剤」と、また「冷却」は「加温」と読み替えることができる。
【００１０】
上着に対するインナーベストの装着構造としては、インナーベストの左右の前身頃それぞれに雄雌のファスナそれぞれを設けると共に、上着の左右の前身頃それぞれにも前記雄雌のファスナそれぞれが係脱自在な雄雌のファスナそれぞれを設けたものであることが好ましい。当該構造によれば、インナーベストを上着に簡単確実に装着できると共に、上着から取り外したときには、自身のファスナにより左右の前身頃を閉じ合わせることで、インナーベスト単体で使用することができる。なお、ファスナはスライドファスナのほか、面ファスナが該当する。
【００１１】
また、インナーベストの着崩れをより確実に防止するには、インナーベストと上着の襟ぐりそれぞれに、互いに係脱可能な係着部を設ける。この構造によれば、インナーベストは左右の前身頃と襟ぐりの３カ所で上着に装着されるため、上着との一体感を高めることができ、収容ポケットに入れた保冷剤の重みも上着に分散され、軽い着心地となる。
【００１２】
上着およびインナーベストのサイズは、通常の衣類と同様、着用者の身長や胸囲等に応じて複数用意する。このとき、保冷剤が着用者の肌に密着したのでは、動きづらくなり、また、対象部位（背中・脇下）を過度に冷却してしまう恐れがある。そこで、本発明の体温調整着は、やや大きめのものを選ぶことが好ましいが、そうすると保冷剤（または保温剤）と肌の距離が大きくなることから、本発明ではインナーベストに胴囲を絞るための調節紐を設けることとした。この手段によれば、紐を締めることによって、インナーベストの胴囲が小さくなり、特に両脇下の保冷剤を肌に接近させることができる。逆に、紐を緩めれば、インナーベストの胴囲を大きくでき、保冷剤を肌から離すことができる。なお、この調整紐は、調整後も体の動き等に合わせて伸び縮みするゴム紐が好ましいが、これに限るものではない。また、調整後、両端同士を結ぶようにしてもよいが、各端部にストッパを設けたものであれば、以降、調整後の胴囲が保持されると共に、体温調整着を脱ぎ着するときに、一々、紐をほどいたり、結んだりする手間もない。
【００１３】
なお、本発明を上述した労作のうち、農作業時の熱中症予防に使用する場合、上着は長袖で、全体が防水性を有する素材からなることが好ましい。当該上着によって農薬や雨水から身体を保護することができるからである。
【発明の効果】
【００１４】
本発明の体温調整着は、上着と、保冷剤の収容ポケットを有するインナーベストの組合せからなるので、上着によって身体を害虫や怪我等から保護しながら、インナーベストの保冷剤によって身体を冷却することができ、農作業等の労作性熱中症の予防に適している。逆に、冬場は収容ポケットに保温剤を投入することによって冷えを緩和し、低体温症を予防することができる。インナーベストは上着に左右の前身頃と襟ぐりの３カ所を止めるので、激しく動いても、インナーベストが上着内で着崩れることがなく、保冷剤や保温剤の位置も安定するから、予定の部位を正確に冷却または加温することができる。また、収容ポケットは内ポケット状に投入口が肌側に位置するため、上着を前開きするだけで、体温調整着を着たままで保冷剤または保温剤を出し入れすることができ、作業現場でも剤の出し入れを速やかに行うことができる。
【図面の簡単な説明】
【００１５】
【図１】本発明の実施形態に係る体温調整着を前開きに展開した説明図
【図２】同体温調整着を前閉じとした説明図
【図３】同体温調整着のインナーベストを単体使用するときの正面図
【図４】同使用時の背面図
【発明を実施するための形態】
【００１６】
以下、本発明の好ましい実施の形態を添付した図面に従って説明する。図１は、本発明を農作業の防除用作業着に適用した体温調整着について、その展開図を示したものであって、１は長袖の上着であり、２は上着１の裏に装着したインナーベストである。インナーベスト２は、左右の前身頃を開いた状態で、上着１に対して左右の前身頃と襟ぐり同士を後述するスライドファスナとホックによって止め合わせている。
【００１７】
この実施形態において、上着１は、裾が長い、フード１ａ付きのレインコート風であって、左右の前身頃１ｂ・１ｃはスライドファスナ１ｄ・１ｅによって、図２に示したように、開閉自在である。また、上着１は両肩から長袖１ｆ・１ｇが形成され、全体が防水性を有する素材からなり、雨水や農薬を撥水し、着用者の上半身全体を保護する。しかも、この素材は、内部から外部に向かって透湿性を有するため、蒸れにくい。これに該当する好適な素材としては、ゴアテックス（登録商標）を例示することができる。なお、上着１は、インナーベスト２を取り外した状態で単体で使用できることはもちろん、そのデザインは、図２に示すように、前閉じであること以外は、特に限定はなく、フード１ａも省略可能である。
【００１８】
一方、インナーベスト２は、図３に示したように、上着１から取り外して、単体で着用できる袖無しの胴衣風であって、その左右の前身頃２ａ・２ｂを、これまたスライドファスナ３によって開閉自在に構成したものである。その素材は、特に限定しないが、ストレッチ素材であることが、体の動きに応じた柔軟性を有し、また、通気性・透湿性の面から好ましい。なお、スライドファスナ３は、互いに係脱自在な雄３ａと雌３ｂの組合せからなり、その一方に開閉ツマミ３ｃを備えている。これに対応して、図１に示すように、上着１の左右前身頃１ｂ・１ｃの裏にも、雄雌のスライドファスナ４ａ・４ｂを設け、互いのスライドファスナ３ａ・３ｂと４ｂ・４ａを係脱可能としている。
【００１９】
また、インナーベスト２の上着１に対する装着構造として、この実施形態では、インナーベスト２の襟ぐり２ｃの、単体使用時に裏側（肌側）となる面（内面）に、図３に示したように、雄のホック５・５を２カ所に設けており、これに対応して、上着１の襟ぐりの裏にも、前記ホック５・５が係脱可能に取り付けられる雌のホック６・６を設けている。なお、ホック５・６の数は図示のように２個で十分であるが、増減してもよい。また、ホック５・６に代えて、面ファスナを採用することもできる。本発明において必要なことは、インナーベスト２と上着１の襟ぐり同士を着脱可能に係着することである。
【００２０】
このように、インナーベスト２は上着１の裏に、スライドファスナ３・４とホック５・６によって、左右の前身頃と襟ぐり同士をつなぎ合わせることで装着される。このとき、インナーベスト２は、単体使用時の内面を表面（外側面）として、上着１に装着する。したがって、この実施形態におけるインナーベスト２は、表裏関係なく着用できるリバーシブルタイプである。
【００２１】
そして、このように上着１に装着されるインナーベスト２は、図４に示すように、襟ぐり２ｃ下の背部と、袖ぐり２ｄ・２ｅ下の両脇下の計３カ所に、保冷剤（図示なし）の収容ポケット７ａ〜７ｃを設けてなる。収容ポケット７ａ〜７ｃは、ポケット生地の左右と底をベスト生地に縫着することで、上辺を投入口７ｄ〜７ｆとしたものである。例えば、ポケット生地はメッシュ地から構成し、投入口７ｄ〜７ｆを面ファスナで開閉自在とすることが好ましい。
【００２２】
このようなインナーベスト２を図１に示したように上着１に装着する場合、上述のように単体使用時の内面を表面（外側面）として上着１に装着するため、収容ポケット７ａ〜７ｃが内ポケットとなり、投入口７ｄ〜７ｆが肌側に位置することになる。したがって、上着１を着たまま、インナーベスト２の収容ポケット７ａ〜７ｃに保冷剤を投入することができる。
【００２３】
一方、インナーベスト２を図３・４に示したように単体で使用する場合は、投入口７ｄ〜７ｆが表側（外側）に位置するように着用され、これまたインナーベスト２を着用したまま収容ポケット７ａ〜７ｃに保冷剤を出し入れしやすく、しかも、スライドファスナ３を容易に開け閉めすることができる。
【００２４】
さらに、この実施形態の場合、図３・４から明らかなように、インナーベスト２の下部周囲には、胴囲調整部８を設けている。この胴囲調整部８は、インナーベスト２の下部周囲に両端を開口して帯状に設けた筒部８ａにゴム紐８ｂを挿通し、該ゴム紐８ｂの筒部８ａから露出する端部それぞれを引っ張り代とし、当該引っ張り代それぞれに露出長を固定するストッパ８ｃを設けたものである。この胴囲調整部８は、インナーベスト２を上着１に装着したとき、保冷剤の収容ポケット７ａ〜７ｃと同様、ゴム紐８ｂが肌側に位置することになるから（図１参照）、上着１を着たままで胴囲の調節が可能である。
【００２５】
上記実施形態の体温調整着によれば、上着１にインナーベスト２を取り付けて着用することにより、上着１によって身体を害虫や農薬から保護しつつ、インナーベスト２の保冷剤によって身体を冷却することができる。特に、保冷剤によって背中と両脇下を冷却するので、着用者にとって冷感作用が高く、体温上昇を効果的に抑制することができる。しかも、保冷剤の重みは、インナーベスト２の肩に集中することがなく、上着１に分散されるため、従来の保冷着の上に長袖の作業着等を単に重ね着したときに比べて、軽快な着用感が得られる。また、上着１への装着時、保冷剤の収容ポケットが内ポケットとなるので、作業現場においても、速やかに保冷剤を交換等することができる。
【００２６】
なお、上記実施形態では、夏場の農作業（特に農薬散布作業）において熱中症を予防するのに好適な例を説明し、そのため保冷剤の使用を前提としているが、保温剤を使用することによって、冬場に体を温める用途にも使用することもできる。
【産業上の利用可能性】
【００２７】
本発明の体温調整着は、暑熱環境下における農作業時の作業着または雨具に適しているが、この他、建築・土木業、あるいは製鉄業など、労作性熱中症の恐れがある産業全般について使用することができる。
【符号の説明】
【００２８】
１  上着
２  インナーベスト
３・４  スライドファスナ
５・６  ホック
７  収容ポケット
８  胴囲調整部
【図１】
2014005560.tif 000003
【図２】
2014005560.tif 000004
【図３】
2014005560.tif 000005
【図４】
2014005560.tif 000006